(57)【要約】【課題】マイナスイオンを発生させる健康用具であって、構成が複雑でなく、生産性が高く、コスト的にも有利である健康用具を提供する。【解決手段】健康用具１は、クリーム状のシリコンとラジウムパウダとを混合させて固化して成るマイナスイオンを発生する素材１１と、通気性があり前記素材１１を包囲する包囲素材１２とから成る。前記包囲素材１２は、前記マイナスイオンを発生する素材１１を包囲するナイロンのネット２１と、前記ナイロンのネット２１を包囲するさらし３１と、前記さらし３１を包囲するフランネル４１とから成る。前記包囲素材１２は、縫製によりマイナスイオンを発生する素材１１の包囲を維持する。前記包囲素材１２に、ベルト、貼付体、テープ、もしくは包帯の何れかから成る装着手段５１を用いる。【選択図】    図６
0003152525.tif 000002
【実用新案登録請求の範囲】
【請求項１】
健康用具であって、
マイナスイオンを発生する素材と、
通気性があり前記素材を包囲する包囲素材と、
から成ることを特徴とする健康用具。
【請求項２】
健康用具であって、
クリーム状のシリコンとラジウムパウダとを混合させて固化して成るマイナスイオンを発生する素材と、
通気性があり前記素材を包囲する包囲素材と、
から成ることを特徴とする健康用具。
【請求項３】
前記包囲素材は、前記マイナスイオンを発生する素材を包囲するナイロンのネットと、
前記ナイロンのネットを包囲するさらしと、前記さらしを包囲するフランネルとから成ることを特徴とする請求項１または２に記載の健康用具。
【請求項４】
前記包囲素材は、縫製により前記マイナスイオンを発生する素材の包囲を維持することを特徴とする請求項１乃至３の何れかに記載の健康用具。
【請求項５】
前記包囲素材に、ベルト、貼付体、テープ、もしくは包帯の何れかから成る装着手段を備えることを特徴とする請求項１乃至４の何れかに記載の健康用具。
【請求項６】
前記クリーム状のシリコンと前記ラジウムパウダとの混合比は、２：８であることを特徴とする請求項２に記載の健康用具。
【考案の詳細な説明】
【技術分野】
【０００１】
本考案は、マイナスイオンを発生する素材を身体にあてがうことで健康増進を可能にし、患部の治癒にも好ましい影響を与える健康用具に関する。
【背景技術】
【０００２】
マイナスイオンが不足した身体は、栄養の吸収が阻害されたり、血液がドロドロになったり、アレルギーやアトピーの原因ともなったりする。
しかし、マイナスイオンは、副交感神経の働きを助け、脈拍や血圧を下げ、精神状態を安定させて心肺機能を高めることが確認されている。
さらに、マイナスイオンは、弱アルカリ性の身体を作り、心と身体のリラックスに役立ち、肩こり、腰痛、筋肉痛をやわらげる効果や、疲労回復、発育増進の効果もあることが知られている。
【０００３】
一方、従来においては、例えば、天然靱皮繊維を編んだ織物を炭化した織物炭化材層と、その織物炭化材層が固着された織物布の第１下地材と、ラドンなどの放射性物質を含む放射性物質層と、その放射性物質層が固着された織物布の第２下地材とを有する身体装着具が知られている（例えば、特許文献１参照）。
この身体装着具は、ラドンの放射性物質からの微弱な放射線によってマイナスイオンの効用を得るという点に特徴がある。
【先行技術文献】
【特許文献】
【０００４】
【特許文献１】特開２００５−２１８６５１号公報
【考案の概要】
【考案が解決しようとする課題】
【０００５】
しかしながら、上記従来の身体装着具は、特に、ラドンなどの放射性物質を含む放射性物質層を、織物布の第２下地材に固着する製作工程が必要であり、全体的に構成が複雑であって生産性が低く、生産上、コスト的にも不利であるという問題があった。
【０００６】
本考案は、上記従来の技術の問題点を解決し、マイナスイオンを発生させる健康用具であって、構成が複雑でなく、生産性が高く、コスト的にも有利である健康用具を提供することを目的とする。
【課題を解決するための手段】
【０００７】
上記目的を達成するため、本考案は、健康用具であって、マイナスイオンを発生する素材と、通気性があり前記素材を包囲する包囲素材とから成ることを特徴とする。
【０００８】
また、本考案は、健康用具であって、クリーム状のシリコンとラジウムパウダとを混合させて固化して成るマイナスイオンを発生する素材と、通気性があり前記素材を包囲する包囲素材とから成ることを特徴とする。
【０００９】
前記包囲素材は、前記マイナスイオンを発生する素材を包囲するナイロンのネットと、
前記ナイロンのネットを包囲するさらしと、前記さらしを包囲するフランネルとから成ることを特徴とする。
【００１０】
前記包囲素材は、縫製により前記マイナスイオンを発生する素材の包囲を維持することを特徴とする。
【００１１】
前記包囲素材に、ベルト、貼付体、テープ、もしくは包帯の何れかから成る装着手段を備えることを特徴とする。
【００１２】
前記クリーム状のシリコンと前記ラジウムパウダとの混合比は、２：８であることを特徴とする。
【考案の効果】
【００１３】
本考案によれば、マイナスイオンを発生する素材を、通気性がある包囲素材で包囲する構成であるため、構成が複雑でなく、生産性が高く、コスト的にも有利である健康用具を実現する。
特に、前記包囲素材は、縫製によりマイナスイオンを発生する素材の包囲を維持するため、より生産性が高く、より生産コスト的にも有利である。
一方、本考案によれば、前記包囲素材に、ベルト、貼付体、テープ、もしくは包帯の何れかから成る装着手段を備えるため、より使い易く、利便性の面でもより好ましい効果を発揮する。
【図面の簡単な説明】
【００１４】
【図１】本考案の実施の形態に係る健康用具の基本構成を示す断面図である。
【図２】本考案の実施の形態に係る加工後のマイナスイオンを発生する素材の構成を示す斜視図である。
【図３】本考案の実施の形態に係るナイロンのネット包囲時の健康用具の構成を示す斜視図である。
【図４】本考案の実施の形態に係るさらし包囲時の健康用具の構成を示す斜視図である。
【図５】本考案の実施の形態に係るフランネル包囲時の健康用具の構成を示す斜視図である。
【図６】本考案の実施の形態に係る装着手段装着後の健康用具の構成を示す断面図である。
【考案を実施するための形態】
【００１５】
以下、図面を参照して、本考案に係る健康用具の実施の形態について説明する。図１は本実施の形態に係る健康用具１の基本構成を説明する断面図である。
本例の健康用具１は、マイナスイオンを発生する素材１１を、通気性がある包囲素材１２で包囲した構成である。
【００１６】
マイナスイオンを発生する素材１１は、クリーム状のシリコンに粉末状のラジウム（ラジウムパウダ）を混合させ、所定時間の経過後に例えば板状のゴム状に固化した固形物である（図１、図２参照）。
ラジウムパウダとシリコンの重量比率は２：８である。ただし、その重量比率は２：８に限定されず、その他、例えば、１：９、３：７、４：６、もしくは５：５等の重量比率を用いても良く、小数点以下の数値は任意である。
【００１７】
通気性がある包囲素材１２は、通気性があれば任意の素材を用いて良く、一例としてはマイナスイオンを発生する素材１１を包囲するナイロンのネット２１と、ナイロンのネット２１を包囲するさらし３１と、さらし３１を包囲するフランネル４１とから成る。
【００１８】
即ち、マイナスイオンを発生する素材１１は、まず、ナイロンのネット２１で例えば巻かれる等して包囲される（図１、図３参照）。
【００１９】
ナイロンのネット２１で上記素材１１を包囲する際、一つには、例えば、筒状に加工した一つのナイロンのネット２１を用いて、その中に上記素材１１を収容した後、筒状のナイロンのネット２１の双方の開放口の縁側をミシンで縫製するという方法がある。
また、ナイロンのネット２１で上記素材１１を包囲する際、もう一つには、例えば、一つの開放口を有してポケット状に加工された一つのナイロンのネット２１を用いて、その中に上記素材１１を収容した後、ナイロンのネット２１の一つの開放口の縁側をミシンで縫製するという方法がある。
一方、ナイロンのネット２１で上記素材１１を包囲する際、もう一つには、例えば、２枚のナイロンのネット２１を用いて、上記素材１１を図示上下から挟むように包囲させた後、２枚のナイロンのネット２１の全周囲の縁側をミシンで縫製するという方法がある。
【００２０】
ナイロンのネット２１で包囲されたマイナスイオンを発生する素材１１は、次いで、さらし３１で例えば巻かれる等して包囲される（図１、図４参照）。さらし３１は布地の一例である。
さらし３１で包囲する場合、上記素材１１を包囲したナイロンのネット２１に巻き付ける以外にも、例えば、一枚のさらし３１で折り畳んで包囲するという方法、もしくはポケット状に加工したさらし３１内に収容するという方法がある。
【００２１】
さらし３１でさらに包囲されたマイナスイオンを発生する素材１１は、次いで、フランネル４１で包囲される（図１、図５参照）。
フランネル４１とは、紡毛糸や梳毛糸、あるいは綿糸で平織りまたは綾織りにし、布面をやや毛羽立たせた柔らかな毛織物であり、例えば肌着に好適な素材である。
【００２２】
フランネル４１で包囲する際も、一つには、例えば、筒状に加工した一つのフランネル４１を用いて、その中にさらし３１で包囲された上記素材１１を収容した後、筒状のフランネル４１の双方の開放口の縁側をミシンで縫製するという方法がある。
また、フランネル４１で包囲する際、もう一つには、例えば、一つの開放口を有してポケット状に加工された一つのフランネル４１を用いて、その中にさらし３１で包囲された上記素材１１を収容した後、フランネル４１の一つの開放口の縁側をミシンで縫製するという方法がある。尚、図５中の符号４１ａは糸の縫い目を概念的に示す。
一方、フランネル４１で包囲する際、もう一つには、例えば、２枚のフランネル４１を用いて、さらし３１で包囲された上記素材１１を図示上下から挟むように包囲させた後、２枚のフランネル４１の全周囲の縁側をミシンで縫製するという方法がある。
【００２３】
以上のように加工された本例の健康用具１は、身体に着用するため、例えば、縦５ｍｍ、横７ｍｍ、厚さ４ｍｍのサイズ、縦８ｃｍ、横１２ｃｍ、厚さ４ｍｍのサイズ、縦１４ｃｍ、横２２ｃｍ、厚さ４ｍｍのサイズ等が好適であるが、その他、任意のサイズに加工しても良いことは勿論である。
【００２４】
本例の健康用具１は、包帯、もしくは靴下等の装着手段５１で身体との間に保持して使用することが可能である（図６参照）。
また、本例の健康用具１は、包囲素材１２の例えば最外層のフランネル４１に、ベルト、貼付体、もしくはテープ等の装着手段５１を装備（接着）することで（図６参照）、身体への装着を可能とする構成を採用しても良い。
ベルトを用いる場合、ベルトは、フランネル４１に対する縫製や接着等によりあらかじめ装着しておくという態様がある。
【００２５】
一方、装着手段５１に貼付体や包帯等を用いる場合、貼付体や包帯は、健康用具１の周囲の領域にも存在する部分があり、その部分で健康用具１の身体への装着を安定させる。
特に貼付体は、身体に向う面が粘着層であり、粘着層からフィルム等を剥がすことで健康用具１の身体への装着（接着）を可能にする。あらかじめ貼付体とフィルムの接合内に健康用具１を挟持保持するという態様も好ましい。
また、貼付体やテープを用いる場合、本例の健康用具１は当然にシップ薬の揮発というような現象はなく、その貼付体やテープの交換で何度も使用することができる。ベルトや包帯等を用いる場合も同様である。
ただし、本例の健康用具１は、例えば身体の肩や腰等に使用する場合、上記マイナスイオンを発生する素材１１がシリコンゴム状の形状変形自在の柔らかい固形物から成るので、下着等との間で保持することも可能である。
【００２６】
本実施の形態の健康用具１は、マイナスイオンを発生する素材１１を、通気性がある包囲素材１２で包囲する構成であるため、構成が複雑でなく、生産性が高く、コスト的にも有利である。
特に、包囲素材１２は、縫製によりマイナスイオンを発生する素材１１の包囲を維持するため、より生産性が高く、よりコスト的にも有利である。
一方、包囲素材１２に、ベルト、貼付体、テープ、包帯、靴下、下着等の装着手段５１を用いることにより身体への装着を維持するため、より使用し易く、利便性の面でもより好ましい効果を得ることができる。
マイナスイオンを発生する素材１１は、シリコンゴム状の形状変形自在の柔らかい固形物から成るため、身体の動き易さを阻害することがなく、この点からも利便性の面で好ましい効果を発揮する。
【産業上の利用可能性】
【００２７】
本考案は、身体の健康増進や、患部治癒を可能にする健康用具の分野に利用することが可能である。
【符号の説明】
【００２８】
１    健康用具
１１  マイナスイオンを発生する素材
１２  包囲素材
２１  ナイロンのネット
３１  さらし
４１  フランネル
５１  装着手段
【図１】
0003152525.tif 000003
【図２】
0003152525.tif 000004
【図３】
0003152525.tif 000005
【図４】
0003152525.tif 000006
【図５】
0003152525.tif 000007
【図６】
0003152525.tif 000008
【手続補正書】
【提出日】平成21年6月1日(2009.6.1)
【手続補正２】
【補正対象書類名】実用新案登録請求の範囲
【補正対象項目名】全文
【補正方法】変更
【補正の内容】
【実用新案登録請求の範囲】
【請求項１】
健康用具であって、
クリーム状のシリコンとラジウムパウダとを混合させて固化して成るマイナスイオンを発生する素材と、
通気性があり前記素材を包囲する包囲素材と、
から成ることを特徴とする健康用具。
【請求項２】
前記包囲素材は、前記マイナスイオンを発生する素材を包囲するナイロンのネットと、
前記ナイロンのネットを包囲するさらしと、前記さらしを包囲するフランネルとから成ることを特徴とする請求項１に記載の健康用具。
【請求項３】
前記包囲素材は、縫製により前記マイナスイオンを発生する素材の包囲を維持することを特徴とする請求項１乃至２の何れかに記載の健康用具。
【請求項４】
前記包囲素材に、ベルト、貼付体、テープ、もしくは包帯の何れかから成る装着手段を備えることを特徴とする請求項１乃至３の何れかに記載の健康用具。